(57)【要約】【解決手段】塗布剤除去具１を設置して回転塗布ローラ３を回転させると、塗布剤供給路にある残留塗布剤の一部が回転塗布ローラ３の外周部３ａに付着して掻き取り縁部１３へ運ばれ、その外周部３ａで残留塗布剤の一部が掻き取り縁部１３により掻き取られて塗布剤回収部１１で回収される。その外周部３ａに付着したまま回収されずに残った残留塗布剤は塗布剤供給路に戻る。次に、塗布剤除去具１を設置したまま回転中心線Ｃの方向へ適宜移動させると、その外周部３ａに付着した残留塗布剤が掻き取り縁部１８により掻き取られるとともに、塗布剤供給路にある残留塗布剤の一部が寄せ集め部１２に寄せ集められる。この除去動作が適宜繰り返されると、塗布剤供給路にある残留塗布剤が回転中心線Ｃの方向の全体で次第に減少する。【効果】塗布剤供給路に残留した塗布剤を容易に除去する。【選択図】図５
2005329368.tif 000002
【特許請求の範囲】
【請求項１】
回転塗布ローラの外周部に対し回転中心線方向で面して、この回転塗布ローラの外周部に付着した塗布剤を掻き取って回収する掻き取り縁部を有する塗布剤回収部と、
この回転塗布ローラの外周部に対し回転方向で面して、回転中心線方向へ移動し得る掻き取り縁部を有する塗布剤寄せ集め部と
を備えたことを特徴とする塗布剤除去具。
【請求項２】
前記塗布剤回収部は、掻き取り縁部のほかに、この掻き取り縁部から延設した塗布剤案内壁部を有し、
前記塗布剤寄せ集め部は、掻き取り縁部のほかに、この掻き取り縁部から延設した塗布剤遮蔽壁部と、この塗布剤遮蔽壁部と前記塗布剤案内壁部との間で塗布剤収容部とを有している
ことを特徴とする請求項１に記載の塗布剤除去具。
【請求項３】
前記塗布剤回収部において塗布剤案内壁部上に塗布剤収容部を設けたことを特徴とする請求項２に記載の塗布剤除去具。
【請求項４】
前記塗布剤寄せ集め部において、塗布剤遮蔽壁部は回転中心線方向の両側で前記塗布剤回収部の塗布剤案内壁部から突設され、塗布剤収容部はこの両側の塗布剤遮蔽壁部間に設けられ、この両側の塗布剤遮蔽壁部のうち一方の塗布剤遮蔽壁部には塗布剤収容部を回転中心線方向へ開放する切欠き部を設けたことを特徴とする請求項２または請求項３に記載の塗布剤除去具。
【発明の詳細な説明】
【技術分野】
【０００１】
本発明は、合板などの各種被塗布部材に対し接着剤等の塗布剤を回転塗布ローラにより塗布する際にその回転塗布ローラの外周部に残留した塗布剤を除去するための塗布剤除去具に関するものである。
【背景技術】
【０００２】
従来、この種の回転塗布ローラの外周部に残留した塗布剤については、へら状の道具を利用して掻き取っていた。
【発明の開示】
【発明が解決しようとする課題】
【０００３】
しかし、へら状の道具により残留塗布剤を少しずつ掻き取る作業は大変面倒であった。
この発明は、回転塗布ローラの外周部に残留した塗布剤を容易に除去することを目的としている。
【課題を解決するための手段】
【０００４】
後記実施形態の図面（図１〜６）の符号を援用して本発明を説明する。
請求項１の発明にかかる塗布剤除去具（１）は下記のように構成されている。
この塗布剤除去具（１）は、例えば後記第５の発明に記載した塗布剤供給路（９，１０）を通って回転する回転塗布ローラ（３，４）の外周部（３ａ，４ａ）に対し回転中心線（Ｃ）の方向（Ｙ）で面するように当てがわれてこの回転塗布ローラ（３，４）の外周部（３ａ，４ａ）に付着した塗布剤を掻き取って回収する掻き取り縁部（１３）を有する塗布剤回収部（１１）と、この接着剤供給路（９，１０）でこの回転塗布ローラ（３，４）の外周部（３ａ，４ａ）に対し回転方向（周方向Ｒ）で面するように当てがわれて回転中心線（Ｃ）の方向（Ｙ）へ移動し得る掻き取り縁部（１８）を有する塗布剤寄せ集め部（１２）とを備えている。
【０００５】
塗布剤除去具（１）を設置して回転塗布ローラ（３，４）を回転させると、塗布剤供給路（９，１０）にある残留塗布剤の一部が、回転塗布ローラ（３，４）の外周部（３ａ，４ａ）に付着して塗布剤回収部（１１）の掻き取り縁部（１３）へ運ばれ、その外周部（３ａ，４ａ）で残留塗布剤の一部がこの掻き取り縁部（１３）により掻き取られて塗布剤回収部（１１）に回収される。その外周部（３ａ，４ａ）に付着したまま回収されずに残った残留塗布剤は、塗布剤供給路（９，１０）に戻る。この除去動作が繰り返されると、塗布剤供給路（９，１０）にある残留塗布剤は次第に減少する。次に、塗布剤除去具（１）を設置したまま回転中心線（Ｃ）の方向（Ｙ）へ適宜移動させると、回転塗布ローラ（３，４）の外周部（３ａ，４ａ）に付着した残留塗布剤が塗布剤寄せ集め部（１２）の掻き取り縁部（１８）により掻き取られるとともに、塗布剤供給路（９，１０）にある残留塗布剤の一部が塗布剤寄せ集め部（１２）に寄せ集められる。このような動作が適宜繰り返されると、塗布剤供給路（９，１０）にある残留塗布剤が回転中心線（Ｃ）の方向（Ｙ）の全体で次第に減少する。
【０００６】
請求項１の発明では、塗布剤除去具（１）において塗布剤回収部（１１）と塗布剤寄せ集め部（１２）とを一体的に設けたので、その塗布剤回収部（１１）の除去機能と塗布剤寄せ集め部（１２）の除去機能との相乗効果により、回転塗布ローラ（３，４）の外周部（３ａ，４ａ）に残留した塗布剤を容易に除去することができる。
【０００７】
請求項１の発明を前提とする請求項２の発明において、前記塗布剤回収部（１１）は、掻き取り縁部（１３）のほかに、この掻き取り縁部（１３）から延設した塗布剤案内壁部（１４）を有し、前記塗布剤寄せ集め部（１２）は、掻き取り縁部（１８）のほかに、この掻き取り縁部（１８）から延設した塗布剤遮蔽壁部（２４，２５）と、この塗布剤遮蔽壁部（２４，２５）と前記塗布剤案内壁部（１４）との間で塗布剤収容部（２６）とを有している。
【０００８】
請求項２の発明では、掻き取り縁部（１３）で掻き取られた残留塗布剤を塗布剤回収部（１１）の塗布剤案内壁部（１４）により確実に回収することができるとともに、塗布剤供給路（９，１０）にある残留塗布剤を塗布剤寄せ集め部（１２）の塗布剤遮蔽壁部（２４，２５）及び塗布剤収容部（２６）により確実に寄せ集めることができる。
【０００９】
請求項２の発明を前提とする請求項３の発明にかかる塗布剤回収部（１１）において、塗布剤案内壁部（１４）上に塗布剤収容部（１７）を設けている。例えば、この塗布剤収容部（１７）は、この塗布剤案内壁部（１４）と、その塗布剤案内壁部（１４）に立設した周壁部（１５，１６）との間に設けられている。
【００１０】
請求項３の発明では、塗布剤案内壁部（１４）に回収された残留塗布剤を塗布剤回収部（１１）の塗布剤収容部（１７）に収容して容易に捨てることができる。
請求項２または請求項３の発明を前提とする請求項４の発明にかかる塗布剤寄せ集め部（１２）において、塗布剤遮蔽壁部（２４，２５）は回転中心線（Ｃ）の方向（Ｙ）の両側で前記塗布剤回収部（１１）の塗布剤案内壁部（１４）から突設され、塗布剤収容部（２６）はこの両側の塗布剤遮蔽壁部（２４，２５）間に設けられ、この両側の塗布剤遮蔽壁部（２４，２５）のうち一方の塗布剤遮蔽壁部（２４）には塗布剤収容部（２６）を回転中心線（Ｃ）の方向（Ｙ）へ開放する切欠き部（２４ａ）を設けている。
【００１１】
請求項４の発明では、塗布剤供給路（９，１０）にある残留塗布剤を切欠き部（２４ａ）を通して塗布剤収容部（２６）に確実に寄せ集めることができる。
請求項１から請求項４のうちいずれかの請求項の発明を前提とする第５の発明においては、前記回転塗布ローラ（３，４）の外周部（３ａ，４ａ）と、その回転塗布ローラ（３，４）に対し対向する回転ローラ（７，８）の外周部（７ａ，８ａ）との間で塗布剤供給路（９，１０）を設けている。
【００１２】
第５の発明では、このような塗布剤供給路（９，１０）を設けた塗布装置（２）において請求項１から請求項４のうちいずれかの請求項の発明の効果を発揮させることができる。
【００１３】
第５の発明を前提とする第６の発明において、前記塗布剤寄せ集め部（１２）は接着剤供給路（９，１０）で回転ローラ（７，８）の外周部（７ａ，８ａ）に対し回転方向（周方向Ｒ）で面するように当てがわれて回転中心線（Ｃ）の方向（Ｙ）へ移動し得る掻き取り縁部（２３）を有し、前記塗布剤遮蔽壁部（２４，２５）はこの回転ローラ（７，８）上の掻き取り縁部（２３）と前記回転塗布ローラ（３，４）上の掻き取り縁部（１８）との間で設けられている。第６の発明では、回転ローラ（７，８）の外周部（７ａ，８ａ）に付着した残留塗布剤をこの塗布剤寄せ集め部（１２）の掻き取り縁部（２３）により掻き取ることができる。
【００１４】
第５の発明または第６の発明を前提とする第７の発明において、前記塗布剤回収部（１１）は回転塗布ローラ（３，４）の外周部（３ａ，４ａ）に対し回転方向（周方向Ｒ）で面するように当てがわれて回転中心線（Ｃ）の方向（Ｙ）へ移動し得る掻き取り縁部（２２）を有し、この塗布剤回収部（１１）における回転塗布ローラ（３，４）上の掻き取り縁部（２２）は前記塗布剤寄せ集め部（１２）における回転塗布ローラ（３，４）上の掻き取り縁部（１８）から連続して設けられている。第７の発明では、回転塗布ローラ（３，４）の外周部（３ａ，４ａ）に付着した残留塗布剤をこの塗布剤回収部（１１）の掻き取り縁部（２２）により塗布剤寄せ集め部（１２）の掻き取り縁部（１８）と協働して掻き取ることができる。
【発明の効果】
【００１５】
本発明は、回転塗布ローラ（３，４）の外周部（３ａ，４ａ）に残留した塗布剤を容易に除去することができる。
【発明を実施するための最良の形態】
【００１６】
以下、本発明の一実施形態にかかる塗布剤除去具について図面を参照して説明する。
図２に示すように、図１に示す塗布剤除去具１を利用する塗布装置２においては、上側の回転塗布ローラ３と下側の回転塗布ローラ４との間で被塗布部材５が前後方向Ｘへ移動する搬送路６が設けられ、上側の回転塗布ローラ３に上側の回転ローラ７が前後方向Ｘで対向して配設されているとともに、下側の回転塗布ローラ４に下側の回転ローラ８が前後方向Ｘで対向して配設されている。この上側の回転塗布ローラ３の外周部３ａとこの上側の回転ローラ７の外周部７ａとの間に若干の隙間Ｇがあけられて塗布剤供給路９が上下方向Ｚへ延びるように設けられ、この下側の回転塗布ローラ４の外周部４ａとこの下側の回転ローラ８の外周部８ａとの間に若干の隙間Ｇがあけられて塗布剤供給路１０が上下方向Ｚへ延びるように設けられている。この上側の回転塗布ローラ３と下側の回転塗布ローラ４と上側の回転ローラ７と下側の回転ローラ８とは、それぞれ、矢印の向きＤ３，Ｄ４，Ｄ７，Ｄ８へ回転する。被塗布部材５が上側の回転塗布ローラ３の外周部３ａと下側の回転塗布ローラ４の外周部４ａとの間で圧接されながら搬送路６に沿って移動すると、これらの回転塗布ローラ３，４の外周部３ａ，４ａが塗布剤供給路９，１０を通って回転する際にそれらの外周部３ａ，４ａに付着した塗布剤（接着剤）がこの被塗布部材５の上面と下面とに塗布される。
【００１７】
図１及び図３〜６に示す塗布剤除去具１の主要部は、プラスチックにより一体成形され、上側の塗布剤回収部１１と下側の塗布剤寄せ集め部１２とを備えている。この塗布剤回収部１１においては、その前端部に掻き取り縁部１３が左右方向Ｙへ延設されているとともに、この掻き取り縁部１３から案内壁部１４（底壁部）が後方へ延設され、この案内壁部１４の上側には案内壁部１４の左右両側部に立設された側壁部１５と案内壁部１４の後部に立設された後壁部１６との間で収容部１７が設けられている。前記塗布剤寄せ集め部１２においては、前記塗布剤回収部１１の掻き取り縁部１３の左右両端部から円弧状の掻き取り縁部１８が下方へ延設されているとともに、この左右両掻き取り縁部１８から側壁部１９，２０が後方へ延設され、この案内壁部１４の下側にはこの左右両側壁部１９，２０間で収容部２１が設けられている。この左右両側壁部１９，２０は前記塗布剤回収部１１の左右両側壁部１５から一体に連続し、この左右両側壁部１５の前部下側には前記塗布剤寄せ集め部１２の掻き取り縁部１８から一体に連続する円弧状の掻き取り縁部２２が設けられている。これらの掻き取り縁部１８，２２の内径は前記上下両側の回転塗布ローラ３，４の外周部３ａ，４ａの外径とほぼ等しくなっている。前記左右両側壁部１９，２０の下側には前記左右両掻き取り縁部１８に対し後方で隣接して円弧状の掻き取り縁部２３が設けられている。この掻き取り縁部２３の内径は前記上下両側の回転ローラ７，８の外周部７ａ，８ａの外径とほぼ等しくなっている。この左右両側壁部１９，２０において掻き取り縁部１８と掻き取り縁部２３との間には遮蔽壁部２４，２５が案内壁部１４から下方へ突設されている。この左右両遮蔽壁部２４，２５のうち、一方の遮蔽壁部２４で案内壁部１４から延びる突設長さが他方の遮蔽壁部２５で案内壁部１４から延びる突設長さよりも短く形成されて一方の遮蔽壁部２４に切欠き部２４ａが形成されている。左右両遮蔽壁部２４，２５間に設けられた収容部２６（前記収容部２１の一部）がこの切欠き部２４ａにより左右方向Ｙへ開放されている。
【００１８】
図２に示す塗布装置２において上側の回転塗布ローラ３の外周部３ａと上側の回転ローラ７の外周部７ａとの間の塗布剤供給路９で上半部９ａに溜まった残留塗布剤を除去する場合には、図３〜６に示すように、図１に示す塗布剤除去具１をこれらの外周部３ａ，７ａ上に設置するとともに、これらの外周部３ａ，７ａ間の隙間Ｇを調節する。その場合、塗布剤回収部１１の掻き取り縁部１３を回転塗布ローラ３の外周部３ａ上に対し回転中心線Ｃの方向Ｙへ当てがい、塗布剤回収部１１の左右両掻き取り縁部２２と塗布剤寄せ集め部１２の左右両掻き取り縁部１８とを回転塗布ローラ３の外周部３ａ上に対し周方向Ｒ（回転方向）へ当てがうとともに、塗布剤寄せ集め部１２の左右両掻き取り縁部２３を回転ローラ７の外周部７ａ上に対し周方向Ｒへ当てがう。また、塗布剤寄せ集め部１２の左右両遮蔽壁部２４，２５のうち、一方の遮蔽壁部２４を塗布剤供給路９の上半部９ａで残留塗布剤の上方に配置するとともに、他方の遮蔽壁部２５を塗布剤供給路９の上半部９ａに対し左右方向Ｙで対向させるように配置する。
【００１９】
その後、回転塗布ローラ３をＤ３矢印向きへ回転させるとともに、回転ローラ７をＤ７矢印向きへ回転させると、左右両遮蔽壁部２４，２５間の収容部２６で塗布剤供給路９の上半部９ａにある残留塗布剤の一部が、回転塗布ローラ３の外周部３ａに付着して塗布剤回収部１１の掻き取り縁部１３へ運ばれ、その外周部３ａで残留塗布剤の一部がこの掻き取り縁部１３により掻き取られて回収されて案内壁部１４上の収容部１７に収容される。その外周部３ａに付着したまま回収されずに残った残留塗布剤は、左右両遮蔽壁部２４，２５間の収容部２６で塗布剤供給路９の上半部９ａに戻る。この除去動作が繰り返されると、塗布剤供給路９の上半部９ａにある残留塗布剤は次第に減少する。なお、塗布剤供給路９の上半部９ａにある残留塗布剤の一部は、回転ローラ７の外周部７ａに付着してその上半部９ａに戻る。
【００２０】
塗布剤供給路９の上半部９ａにある残留塗布剤が左右両遮蔽壁部２４，２５間の収容部２６で十分に除去された後に、塗布剤除去具１を回転塗布ローラ３の外周部３ａ上及び回転ローラ７の外周部７ａ上に設置したまま回転中心線Ｃの方向Ｙへ適宜移動させると、塗布剤供給路９の上半部９ａにある残留塗布剤が一方の遮蔽壁部２４にある切欠き部２４ａを通って左右両遮蔽壁部２４，２５間の収容部２６に入り込んで寄せ集められる。その際、回転塗布ローラ３の外周部３ａに付着した残留塗布剤を塗布剤回収部１１の掻き取り縁部１８及び塗布剤寄せ集め部１２の掻き取り縁部２２が掻き取るとともに、回転ローラ７の外周部７ａに付着した残留塗布剤を塗布剤回収部１１の掻き取り縁部２３が掻き取る。その後は、前述した除去動作が繰り返される。この移動作業を適宜繰り返すと、塗布剤供給路９の上半部９ａにある残留塗布剤が回転中心線Ｃの方向Ｙの全体で次第に減少する。
【００２１】
図２に示す塗布装置２において下側の回転塗布ローラ４の外周部４ａと下側の回転ローラ８の外周部８ａとの間の塗布剤供給路１０で上半部１０ａに溜まった残留塗布剤を除去する場合も、図３に示すように、図１に示す塗布剤除去具１をこれらの外周部４ａ，８ａ上に設置して前述した除去作業と同様に行う。
【００２２】
前述した実施形態では、本発明を手動の塗布剤除去具として例示したが、上記動作を機械的に行う塗布剤除去装置において主要な除去動作行う塗布剤除去機能部に応用することも可能である。
【図面の簡単な説明】
【００２３】
【図１】本実施形態にかかる塗布剤除去具を示す斜視図である。
【図２】上記塗布剤除去具を利用する塗布装置を概略的に示す正面図である。
【図３】上記塗布装置に設置した上記塗布剤除去具を示す正面図である。
【図４】上記塗布装置に設置した上記塗布剤除去具を示す平面図である。
【図５】上記塗布装置に設置した上記塗布剤除去具を正面側から見た断面図である。
【図６】上記塗布装置に設置した上記塗布剤除去具を側面側から見た断面図である。
【符号の説明】
【００２４】
１…塗布剤除去具、３，４…回転塗布ローラ、３ａ，４ａ…外周部、７，８…回転ローラ、７ａ，８ａ…外周部、９，１０…塗布剤供給路、１１…塗布剤回収部、１２…塗布剤寄せ集め部、１３…塗布剤回収部の掻き取り縁部、１４…塗布剤回収部の塗布剤案内壁部、１７…塗布剤回収部の塗布剤収容部、１８…塗布剤寄せ集め部の掻き取り縁部、２４，２５…塗布剤寄せ集め部の塗布剤遮蔽壁部、２４ａ…切欠き部、２６…塗布剤寄せ集め部の塗布剤収容部、Ｃ…回転塗布ローラの回転中心線、Ｙ…回転中心線の方向（左右方向）、Ｒ…回転塗布ローラの周方向（回転方向）。
【図１】
2005329368.tif 000003
【図２】
2005329368.tif 000004
【図３】
2005329368.tif 000005
【図４】
2005329368.tif 000006
【図５】
2005329368.tif 000007
【図６】
2005329368.tif 000008